(57)【要約】【課題】液晶表示装置における駆動電源電圧に起因する液晶表示部の誤動作を防止し、誤動作が原因の液晶表示部の故障を抑制すること。【解決手段】液晶表示装置であって、液晶表示部と、任意に設定される検知閾値電圧に基づき前記液晶表示部の駆動電源電圧を監視する電源監視部と、この電源監視部の監視結果に基づき前記液晶表示部の駆動電源電圧が前記検知閾値電圧よりも低い場合には前記液晶表示部に入力される表示信号を停止させる表示信号制御部、を設けたことを特徴とするもの。【選択図】                    図１
2009265216.tif 000002
【特許請求の範囲】
【請求項１】
液晶表示部と、
任意に設定される検知閾値電圧に基づき前記液晶表示部の駆動電源電圧を監視する電源監視部と、
この電源監視部の監視結果に基づき前記液晶表示部の駆動電源電圧が前記検知閾値電圧よりも低い場合には前記液晶表示部に入力される表示信号を停止させる表示信号制御部、
を設けたことを特徴とする液晶表示装置。
【請求項２】
前記電源監視部として、リセットＩＣを用いることを特徴とする請求項１記載の液晶表示装置。
【請求項３】
前記液晶表示部の駆動電源電圧を、前記液晶表示部の表示動作を制御する制御信号に基づきＯＮ／ＯＦＦ制御されるスイッチ素子を介して選択的に印加することを特徴とする請求項１または請求項２記載の液晶表示装置。
【発明の詳細な説明】
【技術分野】
【０００１】
本発明は、液晶表示装置に関し、詳しくは液晶表示部の保護に関する。
【０００２】
近年の半導体技術の発達に伴い、ＴＶ受像機、パソコンモニタ、携帯電話、携帯ゲーム機などの民生品や、パチンコ台などの業務用娯楽機器や、測定器や検査装置などの産業機器など、各種電子機器の表示装置として液晶表示装置が広く用いられている。
【０００３】
図４は、従来の液晶表示装置の一例を示すブロック図である。図４において、液晶表示部１には、液晶駆動電源部２から駆動電源Ｐｄが供給されている。ＣＰＵ３は、表示制御部４に、表示データＤｄと表示ＯＮ／ＯＦＦ制御信号Ｓｃを出力する。表示制御部４は、表示データＤｄを液晶表示部１に合わせた所定の信号形態の表示信号Ｓｄに変換して液晶表示部１に出力するとともに、表示ＯＮ／ＯＦＦ制御信号Ｓｃに基づき表示信号Ｓｄの液晶表示部１への出力をＯＮ／ＯＦＦ制御する。
【０００４】
図５は、図４の動作を説明するタイミングチャートである。液晶表示部１には、図５のタイミングチャートに示すように、液晶駆動電源部２から供給される駆動電源ＰｄのＯＮ／ＯＦＦに対する表示信号Ｓｄの製品固有の出力タイミングが規定されている。図５において、駆動電源ＰｄのＯＮに対する表示信号Ｓｄの出力タイミングをＴ１、駆動電源ＰｄのＯＦＦに対する表示信号ＳｄのＯＦＦのタイミングをＴ２とする。
【０００５】
特許文献１には、液晶表示装置における電源制御回路の例が記載されている。
【特許文献１】特開平８−８７０７号公報
【発明の開示】
【発明が解決しようとする課題】
【０００６】
図４の回路構成によれば、表示ＯＮ／ＯＦＦ制御信号Ｓｃにより電源ＯＮに対する表示信号Ｓｄの出力タイミングＴ１は制御できるものの、電源ＯＦＦに対する表示信号ＳｄのＯＦＦタイミングＴ２を制御することは、装置自体の電源がＯＦＦされると液晶表示部１の電源もＯＦＦされてしまって制御不能となることから、容易ではない。
【０００７】
図５のタイミングが守られない場合、つまり液晶駆動電源部２がＯＮしていない状態で表示信号Ｓｄが液晶表示部１に出力された場合、液晶表示部１で誤動作が発生し、最悪の場合には液晶表示部１を故障させてしまう恐れがある。
【０００８】
本発明は、このような課題を解決するものであり、その目的は、駆動電源電圧に起因する液晶表示部の誤動作を防止し、誤動作が原因の故障を抑制することにある。
【課題を解決するための手段】
【０００９】
このような課題を達成するために、本発明のうち請求項１記載の発明は、
液晶表示部と、
任意に設定される検知閾値電圧に基づき前記液晶表示部の駆動電源電圧を監視する電源監視部と、
この電源監視部の監視結果に基づき前記液晶表示部の駆動電源電圧が前記検知閾値電圧よりも低い場合には前記液晶表示部に入力される表示信号を停止させる表示信号制御部、
を設けたことを特徴とする液晶表示装置である。
【００１０】
請求項２記載の発明は、
請求項１記載の液晶表示装置において、
前記電源監視部として、リセットＩＣを用いることを特徴とする。
【００１１】
請求項３記載の発明は、
請求項１または請求項２記載の液晶表示装置において、
前記液晶表示部の駆動電源電圧を、前記液晶表示部の表示動作を制御する制御信号に基づきＯＮ／ＯＦＦ制御されるスイッチ素子を介して選択的に印加することを特徴とする。
【発明の効果】
【００１２】
本発明によれば、駆動電源電圧に起因する液晶表示部の誤動作を防止でき、誤動作が原因の故障を抑制できる。
【発明を実施するための最良の形態】
【００１３】
以下、本発明について、図面を用いて詳細に説明する。図１は本発明の一実施例を示すブロック図であり、図４と共通する部分には同一の符号を付けている。図１において、電源監視部５は、液晶駆動電源部２から液晶表示部１に供給される駆動電源Ｐｄを監視するものであり、たとえば「リセットＩＣ」として市販されている一般的なＩＣを用いる。この電源監視部５には抵抗Ｒ１とＲ２の直列回路よりなる分圧回路を介して液晶駆動電源部２から液晶表示部１に供給される駆動電源Ｐｄが入力される。電源監視部５の出力信号Ｓｅは、液晶表示部１と表示制御部４の間に接続されている出力イネーブル付きのゲートＩＣ６に入力される。なお、ゲートＩＣ６は表示制御回路４内に設けられる場合もある。また、電源監視部５は、コンデンサＣｔを介して共通電位点に接続されている。
【００１４】
電源監視部５は、液晶駆動電源部２から出力される駆動電源Ｐｄの電圧が抵抗Ｒ１とＲ２の直列回路よりなる分圧回路で決められた電源監視部５の検知閾値電圧Ｖｔｈに達すると出力イネーブル信号Ｓｅをアサートし、逆に液晶駆動電源部２から出力される駆動電源Ｐｄの電圧が検知閾値電圧Ｖｔｈまで低下した場合は出力イネーブル信号Ｓｅをネゲートする。ゲートＩＣ６は、液晶表示部１に入力される表示信号を停止させる表示信号制御部として機能するものであり、電源監視部５から入力される出力イネーブル信号Ｓｅに基づき、表示制御部４から液晶表示部１に出力される表示信号ＳｄをＯＮ／ＯＦＦ制御する。なお、電源監視部５の検知閾値電圧Ｖｔｈは、液晶表示部１の仕様の電源電圧のミニマム値と合わせるようにする。
【００１５】
図２は、図１の動作を説明するタイミングチャートである。ゲートＩＣ６は、液晶駆動電源部２から出力される駆動電源Ｐｄの電圧が検知閾値電圧Ｖｔｈよりも低下した際には表示信号Ｓｄ’を直ちにＯＦＦにする。
【００１６】
これにより、表示信号Ｓｄ’が液晶表示部１の仕様を超えて出力されることはなく、液晶表示部１の誤動作を抑えることができ、誤動作が原因による故障を抑制防止できる。
【００１７】
図３は、本発明の他の実施例を示すブロック図であり、図１と共通する部分には同一の符号を付けている。図３において、液晶駆動電源部２から出力される駆動電源ＰｄはＦＥＴＱ１を介して液晶表示部１に供給される。ＦＥＴＱ１のゲートはトランジスタＱ２を介して共通電位点に接続され、トランジスタＱ２のベースはＣＰＵ３のＩＯポート回路３１に接続されている。なお、ＩＯポート回路３１は、ＣＰＵ３に外付けされるものであってもよい。また、ＦＥＴＱ１とトランジスタＱ２の駆動用抵抗素子は図示しない。
【００１８】
電源監視部５から出力されるリセット信号Ｓｒｓは、ナンドゲート７の一方の入力端子に入力されている。ナンドゲート７の他方の入力端子には、ＣＰＵ３のＩＯポート回路３１から表示ＯＮ／ＯＦＦ制御信号Ｓｃが入力されている。ナンドゲート７の出力端子はゲートＩＣ６の出力イネーブル端子に接続され、出力イネーブル信号Ｓｅを出力する。
【００１９】
図３の構成において、表示ＯＮ／ＯＦＦ制御信号Ｓｃがアサートすると、トランジスタＱ２によりＦＥＴＱ１がＯＮになり、液晶駆動電源部２から出力される駆動電源ＰｄはＦＥＴＱ１を介して液晶表示部１に供給される。ＦＥＴＱ１がＯＮになると電源監視部５はリセット信号Ｓｒｓをネゲートし、ナンドゲート７は出力イネーブル信号Ｓｅをアサートして、ゲートＩＣ６は表示信号Ｓｄ’を液晶表示部１に対して出力する。
【００２０】
一方、表示ＯＮ／ＯＦＦ制御信号Ｓｃがネゲートした場合または液晶駆動電源部２から出力される駆動電源Ｐｄが電源監視部５の検知閾値電圧Ｖｔｈよりも低下した場合は、リセット信号Ｓｒｓがアサートされ、ゲートＩＣ６から液晶表示部１に対して出力される表示信号Ｓｄ’をＯＦＦにする。
【００２１】
すなわち、図３の回路構成により、液晶駆動電源部２から出力される駆動電源Ｐｄが電源監視部５の検知閾値電圧Ｖｔｈよりも低下した場合には、液晶表示部１に出力される表示信号Ｓｄ’を直ちにＯＦＦにできることから表示信号Ｓｄ’が液晶表示部１の仕様を超えて出力されることはなく、液晶表示部１の誤動作を抑えることができ、誤動作が原因による液晶表示部１の故障を防止できる。
また、図３の回路構成によれば、表示ＯＮ／ＯＦＦ制御信号Ｓｃにより液晶表示部１に入力される表示信号Ｓｄ’を制御するだけではなく、液晶駆動電源部２から出力される駆動電源Ｐｄも制御することができ、液晶表示ＯＦＦ時における消費電力を抑制することもできる。
【００２２】
以上説明したように、本発明によれば、一般的なリセットＩＣを使用した電源監視部を設けて液晶表示部の電源電圧を監視するとともに液晶表示部の表示信号を制御することにより、容易に駆動電源電圧に起因する液晶表示部の誤動作を防止できるとともに誤動作が原因の故障を抑制できる液晶表示装置が実現でき、各種電子機器の表示装置として好適である。
【図面の簡単な説明】
【００２３】
【図１】本発明の一実施例を示すブロック図である。
【図２】図１の動作を説明するタイミングチャートである。
【図３】本発明の一実施例を示すブロック図である。
【図４】従来の液晶表示装置の一例を示すブロック図である。
【図５】図４の動作を説明するタイミングチャートである。
【符号の説明】
【００２４】
１  液晶表示部
２  液晶駆動電源部
３  ＣＰＵ
４  表示制御部
５  電源監視部
６  ゲートＩＣ
Ｑ１  ＦＥＴ
Ｑ２  トランジスタ
【図１】
2009265216.tif 000003
【図２】
2009265216.tif 000004
【図３】
2009265216.tif 000005
【図４】
2009265216.tif 000006
【図５】
2009265216.tif 000007